(57)【要約】  【課題】  撮影モードと再生モードの切り替えおよび画像の切り替えをユーザの概念モデルに一致させ、操作性を良好とする。  【解決手段】  撮影モードの表示画面ＳＴ１では、表示枠ＳＣのほぼ中央部に、現在の被写体の撮影画像Ｒが表示される。時間ダイヤル２２を操作して反時計方向に１段階回転させると、撮影画像Ｒが右に移動し、その左隣に直前に取得された再生画像Ｐ１が表示される。再生画像Ｐ１の左隣には、その前の再生画像Ｐ２が位置する。撮影画像Ｒと再生画像Ｐ１，Ｐ２が同時に表示されている表示画面ＳＴ２は、撮影モードと再生モードの混在状態である。時間ダイヤル２２を反時計方向に１段回転させると、再生画像Ｐ１−Ｐ４のみが表示された表示画面ＳＴ３となる。この状態は、再生モードであり、複数の再生画像Ｐ１−Ｐ４が時間軸上に並べられて表示される。【選択図】  図５
2005328242.tif 000002
【特許請求の範囲】
【請求項１】
撮像装置において、
撮像素子と、表示装置と、撮影された画像と上記表示装置に表示される画像を蓄える記憶媒体と、ユーザの入力を受け付ける入力装置とを備え、
上記撮像素子が現在捉えている被写体の画像である第１の画像と、上記記憶媒体に保存されている撮影済の１または複数の第２の画像とが時間軸に沿って順に上記表示装置に表示可能とされ、
上記入力装置が操作されることによって、上記第１の画像が上記表示装置に表示されている撮影モード、および上記第２の画像のみが上記表示装置に表示されている再生モードの一方から他方へシームレスに遷移が生じるように制御される撮像装置。
【請求項２】
請求項１において、
上記入力装置が両方向に回転自在のダイヤルであって、上記ダイヤルの操作の方向と上記時間軸の方向が対応するように制御される撮像装置。
【請求項３】
請求項１において、
上記入力装置が十字キーであって、上記十字キーの操作の方向と上記時間軸の方向が対応するように制御される撮像装置。
【請求項４】
請求項１において、
上記撮影モードでは、上記第１の画像のみが表示され、上記撮影モードから上記再生モードに遷移する場合に、上記第１および第２の画像の両者が表示される撮影および再生モードが介在される撮像装置。
【請求項５】
請求項１において、
上記再生モードにおいて、上記入力装置が操作されることによって、時間軸に沿って順に上記第２の画像が送られる撮像装置。
【請求項６】
請求項１において、
上記再生モードから上記撮影モードに遷移する時に、一時的な停止状態を介在させる撮影装置。
【請求項７】
表示装置を有する撮像装置における画面表示方法において、
撮影モードでは、撮像素子が現在捉えている被写体の画像である第１の画像を表示し、
再生モードでは、記憶媒体に保存されている撮影済の１または複数の第２の画像を表示し、
入力装置の操作の方向と対応して、上記第１の画像が表示されている撮影モード、および上記第２の画像のみが表示されている再生モードの一方から他方へシームレスに遷移を生じさせる撮像装置における画面表示方法。
【請求項８】
撮像装置のユーザインターフェースにおいて、
表示装置と、
少なくとも二方向への操作を可能とする入力装置と、
撮像素子が現在捉えている被写体の画像である第１の画像を上記表示装置に表示する撮影モードと、
記憶媒体に保存されている撮影済の１または複数の第２の画像を上記表示装置に表示する再生モードとを備え、
上記入力装置の操作の方向と対応して、上記撮影モードおよび上記再生モードの一方から他方へシームレスに遷移を生じさせるユーザインターフェース。
【発明の詳細な説明】
【技術分野】
【０００１】
この発明は、撮影モードと再生モードの切替の遷移をシームレスに行うようにした撮像装置、画面表示方法およびユーザインターフェースに関する。
【背景技術】
【０００２】
ディジタルカメラとして比較的大きな画面を有する表示デバイス例えばＬＣＤ（Liquid Crystal Display)を備えるものが広く普及している。ＬＣＤは、撮影時には、構図、画
角等を設定するために使用され、また、記録済の画像を再生し、再生画像を表示するためにも使用される。
【０００３】
動画と静止画を撮ることが可能な電子カメラにおいて、撮影年月日ごとに動画と静止画とを撮影した順に同一時間軸上に並べて表示することが下記の特許文献１に記載されている。特許文献１に記載されているものは、撮影済みの画像を表示し、再生したい画像を簡単に検索することを可能とするものである。
【０００４】
【特許文献１】特許第３０３３２４号明細書
【発明の開示】
【発明が解決しようとする課題】
【０００５】
従来のディジタルカメラでは、撮影モードと再生モードとを切り換えるために、何らかの入力装置の操作を必要としていた。その結果、撮影モードと再生モードとが分離され、例えば直前に撮影した画像を確認しながら撮影を行うことが難しかった。ディジタルカメラのユーザインターフェースは、複数のユーザにとって予測可能で直感的なものであることが好ましい。このようなインターフェースは、ユーザの概念モデルに一致したものと言える。特許文献１に記載のものは、撮影済の画像のみを対象とするものであって、撮影モードで捉えられた画像については、何ら考慮されておらず、モード切り替えをユーザの概念モデルと整合するように行うことについては、何ら記載されていない。
【０００６】
したがって、この発明の目的は、撮影モードと再生モードの切替をシームレスな概念モデルで行うことによって、操作性を向上できる撮像装置、画面表示方法およびユーザインターフェースを提供することにある。
【課題を解決するための手段】
【０００７】
上述した課題を解決するために、この発明の第１の態様は、撮像装置において、撮像素子と、表示装置と、撮影された画像と表示装置に表示される画像を蓄える記憶媒体と、ユーザの入力を受け付ける入力装置とを備え、撮像素子が現在捉えている被写体の画像である第１の画像と、記憶媒体に保存されている撮影済の１または複数の第２の画像とが時間軸に沿って順に表示装置に表示可能とされ、入力装置が操作されることによって、第１の画像が表示装置に表示されている撮影モード、および第２の画像のみが表示装置に表示されている再生モードの一方から他方へシームレスに遷移が生じるように制御される撮像装置である。
【０００８】
この発明の第２の態様は、表示装置を有する撮像装置における画面表示方法において、撮影モードでは、撮像素子が現在捉えている被写体の画像である第１の画像を表示し、再生モードでは、記憶媒体に保存されている撮影済の１または複数の第２の画像を表示し、入力装置の操作の方向と対応して、第１の画像が表示されている撮影モード、および第２の画像のみが表示されている再生モードの一方から他方へシームレスに遷移を生じさせる撮像装置における画面表示方法である。
【０００９】
この発明の第３の態様は、撮像装置のユーザインターフェースにおいて、表示装置と、少なくとも二方向への操作を可能とする入力装置と、撮像素子が現在捉えている被写体の画像である第１の画像を表示装置に表示する撮影モードと、記憶媒体に保存されている撮影済の１または複数の第２の画像を表示装置に表示する再生モードとを備え、入力装置の操作の方向と対応して、撮影モードおよび再生モードの一方から他方へシームレスに遷移を生じさせるユーザインターフェースである。
【発明の効果】
【００１０】
この発明によれば、入力装置の操作によって、撮影モードと再生モードとをシームレスに切り替えることができると共に、入力装置の操作方向に応じて、表示装置に表示されている画面の遷移が過去から現在、または現在から過去に向かう画面遷移が生じさせることができる。操作とモード切り替えおよび画像の切り替えがユーザの概念モデルと親和性があり、操作性を良好とできる。
【発明を実施するための最良の形態】
【００１１】
以下、この発明の一実施形態について図面を参照しながら説明する。図１に、この発明の一実施形態によるディジタルカメラの構成の一例を示す。図１において、破線で囲んで示す部分は、ＣＰＵ(Central Processing Unit) １によって制御される処理部を示す。
【００１２】
処理部１は、ＲＡＭ等の内部記録媒体３、画像処理部４、外部インターフェース５、ＲＧＢ処理部６、信号処理部７およびビデオ出力処理部８によって構成されている。ＣＰＵ２に対して操作部９が接続され、操作部９に設けられシャッター等の操作に応じた信号がＣＰＵ２に供給される。
【００１３】
さらに、メディア処理部１０を介して外部記録媒体１１に対して撮像信号をＪＰＥＧ（Joint Photographic Experts Group)等で圧縮したデータを記録するようになされている
。外部記録媒体１１は、書き込み可能な光ディスク、メモリカード等である。
【００１４】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１５】
内部記録媒体３からの撮像信号が信号処理部７を通ってＲＧＢ処理部６に供給され、ＲＧＢ処理部６で形成された表示信号が表示装置としてのＬＣＤ（Liquid Crystal Display)１３に供給される。ＬＣＤ１３は、例えばカメラ本体の背面に設けられたものである。
ＬＣＤ１３には、撮像信号のみならず、外部記録媒体１１からメディア処理部１０を介して取り込まれた画像信号も表示される。
【００１６】
操作部９のシャッターが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００１７】
常に更新されてＬＣＤ１３に撮影画像が表示される。撮影画像に対して、記録済の画像データの縮小画像、アイコン等のＯＳＤデータが信号処理部７で重ね合わされて、ＬＣＤ１３に表示される。ＯＳＤ(On Screen Display)とは、カメラから取り込んだリアルタイ
ムの画像に重ねて表示するアイコン等のデータを準備するためのメモリ領域や、仕組みを総称する用語である。
【００１８】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在する時には、外部記録媒体１１からデータを取得する必要がない。画像処理部４は、操作部９におけるユーザのキー等の操作に応答して、表示する画像の拡大または縮小の処理を行うように、ＣＰＵ２によって制御される。
【００１９】
ビデオ出力処理部８から図示しない映像出力端子には、アナログのカラービデオ信号が取り出される。映像出力端子に対して外部モニタ１４を接続した場合には、内部記録媒体３または外部記録媒体１１に蓄積されている画像を外部モニタ１４によって表示することができる。さらに、外部インターフェース５には、例えばプリンタ１５が接続され、画像を印刷することが可能とされている。
【００２０】
操作部９には、時間軸操作ダイヤルが含まれている。図２Ａは、時間軸操作ダイヤルの一例を示す。カメラ本体２１の背面および側面からやや突出して、時間軸操作ダイヤル２２ａが設けられる。図２Ｂに示す例では、カメラ本体２１の上面に時間軸操作ダイヤル２２ｂが設けられる。
【００２１】
時間軸操作ダイヤル２２ａおよび２２ｂは、銀塩カメラのフィルム巻き上げのダイヤルと同様の形状と操作感を有している。すなわち、所定の回転量ずつ回転可能とされている。また、時間軸操作ダイヤル２２ａ，２２ｂは、カメラ本体２１の上面から見て時計方向および反時計方向に回転可能とされている。なお、以下の説明では、時間軸操作ダイヤル２２ａ，２２ｂを総称して、時間ダイヤル２２と適宜称する。なお、時間軸を操作するためには、ダイヤル以外の十字キー、ローラ、トラックボール、タッチパネル等の入力装置を使用することができる。また、機械的な構成に限らず、表示画面のボタン等を操作するＧＵＩ(Graphical User Interface)を使用しても良い。
【００２２】
図３は、一実施形態におけるＬＣＤ１３に表示される画像を説明するもので、参照符号Ｒが現在撮影中の撮影画像であり、Ｐが撮影済で再生モードで再生される再生画像である。撮影画像Ｒを先頭にして、再生画像Ｐ１，Ｐ２，Ｐ３，・・・と再生画像が時間軸の順に並べられる。図３に向かって右方向が過去から現在への時間軸方向であり、左方向が現在から過去への時間軸方向である。
【００２３】
ＬＣＤ１３としては、アスペクト比が４対３のものと、１６対９のようなワイドなものとの何れも使用できる。図３におけるＳＣは、ワイドＬＣＤを使用した場合の表示枠を表している。この場合では、撮影画像Ｒと再生画像Ｐ１，Ｐ２とが同時に表示されている。後述するように、時間ダイヤル２２をカメラ本体２１の上面から見て反時計方向に回転させる度に、時間軸が現在から過去の方向に変化する。
【００２４】
撮影画像Ｒと再生画像Ｐとの識別を容易とするために、撮影画像Ｒが再生画像Ｐに比してより大きなサイズとされている。また、画像に異なる形状のアイコンを付加することによって、撮影画像Ｒと再生画像Ｐとを識別するようにしても良い。
【００２５】
図４は、ＬＣＤ１３の表示を形成するために、内部記録媒体３に保持されている表示用のデータを概略的に示すものである。図４Ａに示される撮影画像Ｒは、内部記録媒体３に保持され、撮影モード中では、操作部９の操作がなされない状態でも、フレーム等の周期でもって更新され続ける。
【００２６】
図４Ｂは、内部記録媒体３の撮影データＲとは別に記憶されているＯＳＤデータを示す。ＯＳＤデータは、撮影データＲに重ね表示するアイコンのデータである。この発明の一実施形態では、ＯＳＤデータとして、最近の複数の記録画像の再生画像Ｐ１，Ｐ２が表示枠ＳＣに対応する内部記録媒体３の記憶領域ＭＣ内に配置される。再生画像データＰ１，Ｐ２は、外部記録媒体１１から取り込まれ、画像処理部４によって復号並びにサイズの縮小がなされて後、内部記録媒体３に格納される。内部記録媒体３に直前に撮影した画像のＯＳＤ表示に適したサイズの画像があれば、外部記録媒体１１からデータを取得する必要がない。
【００２７】
再生画像Ｐ１，Ｐ２は、撮影画像Ｒに比して小さいサイズのものである。画像のサイズによって、画像の種類を判別することができる。ＯＳＤデータには、撮影画像であることを示すアイコン３１と、再生画像であることを示すアイコン３２とが含まれている。これらのアイコン３１および３２によって、ユーザは、画像の種類を容易に判別することができる。但し、以下の説明では、アイコン３１および３２についての図示を省略する。なお、ＯＳＤデータは、複数階層のデータとして構成されていても良い。図４Ｃに示すように、撮影画像ＲとＯＳＤデータとが合成されてワイドタイプのＬＣＤ１３に対して表示される。
【００２８】
図５を参照して、モード切り替え時になされる表示画面の遷移を説明する。図５の例は、ディジタルカメラの背面に設けられたＬＣＤ１３の表示枠ＳＣがアスペクト比（１６：９）等のワイド形の場合である。ＳＴ１は、撮影モードの表示画面を示す。表示枠ＳＣのほぼ中央部に、レンズを通して捉えられた現在の被写体の撮影画像Ｒが表示される。撮影モードにおいては、シャッターボタン２４を押して撮影が可能である。
【００２９】
なお、ディジタルカメラの背面には、複数のキー、ボタン等が設けられている。例えばメニューボタン２５および削除ボタン２６が設けられている。
【００３０】
時間ダイヤル２２を親指等によって操作してカメラ本体２１の上面から見て反時計方向に１段階回転させると、撮影画像Ｒが右に移動し、撮影画像Ｒの左隣に直前に撮影して取得された再生画像Ｐ１が表示される。再生画像Ｐ１の左隣には、その前の再生画像Ｐ２が位置する。この撮影画像Ｒと再生画像Ｐ１，Ｐ２が同時に表示されている表示画面ＳＴ２は、撮影モードと再生モードの混在状態である。ユーザは、直前に撮影された画像を見ながら、新たに撮影する画像の構図等を決定することができる。
【００３１】
さらに、時間ダイヤル２２をカメラ本体２１の上面から見て反時計方向に１段回転させると、再生画像Ｐ１，Ｐ２，Ｐ３，Ｐ４のみが表示された表示画面ＳＴ３となる。この状態は、再生モードであり、複数の再生画像Ｐ１，Ｐ２，Ｐ３，Ｐ４が時間軸上に並べられて表示される。
【００３２】
図５は、時間ダイヤル２２をカメラ本体２１の上面から見て反時計方向に回転させることで生じる、現在から過去に向かう場合の画面遷移を示している。時間ダイヤル２２をカメラ本体２１の上面から見て時計方向に回転させた場合では、過去から現在に向かう画面遷移が生じる。時間ダイヤル２２を回転させることによって撮影モードと再生モードとをシームレスな操作で切り替えることができる。時間ダイヤル２２の回転操作とモード切り替えおよび画像の切り替えがユーザの概念モデルと親和性があり、操作性が良好である。なお、撮影モードと再生モードの混在状態を介さずに撮影モードと再生モードとを直接的に切り替えるようにしても良い。
【００３３】
図６は、時間ダイヤル２２を回転させた時の動作の変化を示す。時間ダイヤル２２をカメラ本体２１の上面から見て反時計方向に回転させた場合では、図６の上から下へ向かう動作の変化が生じ、回転ダイヤル２２をカメラ本体２１の上面から見て時計方向に回転させた場合では、図６の下から上へ向かう動作の変化が生じる。撮影画像Ｒのみが表示されている撮影モード（ステップＳ１）から時間ダイヤル２２を１段回すと（ステップＳ２）、撮影画像Ｒおよび再生画像Ｐの両者が表示されている撮影モードと再生モードの混在状態（ステップＳ３）となる。
【００３４】
さらに、ステップＳ４において、時間ダイヤル２２を１段回すと、再生画像のみが表示される再生モードとなる（ステップＳ５）。再生モードにおいて、時間ダイヤル２２を１段回すと（ステップＳ６）、再生画像が時間軸上の順序で順に送られて表示される（ステップＳ７）。
【００３５】
再生モードにおいて、逆方向（カメラ本体２１の上面から見て時計方向）に時間ダイヤル２２を回転させると、画像が時間軸に沿って過去のものから最新のものに順に変化する。比較的低速に時間ダイヤル２２を回転させた場合には、１段の回転で１枚の画像送りがなされる。高速に時間ダイヤル２２を回転させた場合に、複数枚の画像単位で画像送りを行うようにしても良い。
【００３６】
時間ダイヤル２２を高速に逆方向に回転させた場合には、ステップＳ５の状態で、画像送りが一時的に停止される。すなわち、時間ダイヤル２２を回転しても、再生画像の送りが停止され、一時的な停止時間の後に、ステップＳ３の撮影モードと再生モードの混在状態となる。一時的な停止を設けることによって、ユーザは、再生モードから撮影モードに切り替わることを意識できる。短時間の停止のために、シームレスなモード切替が阻害されることがない。
【００３７】
ユーザの概念モデルとの親和性をより高めるために、撮影モードと、撮影モードおよび再生モードの混在モードと、再生モードとの遷移は、時間ダイヤル２２の操作にしたがってアニメーションで表現されることが好ましい。図７は、画面遷移アニメーションの一例を示す。
【００３８】
撮影画像Ｒのみが表示されている表示画面ＳＴ１１において、時間ダイヤル２２をカメラ本体２１の上面から見て反時計方向に１段回すと、遷移表示画面ＳＴ１２を経て撮影画像Ｒと再生画像Ｐ１，Ｐ２が同時に表示される表示画面ＳＴ１３に遷移する。表示画面ＳＴ１１とＳＴ１３の間の遷移表示画面ＳＴ１２では、時間ダイヤル２２を回転させている間に、撮影画像Ｒが徐々に右方向に移動すると共に、画面の左側から再生画像が徐々に入り込む。
【００３９】
さらにもう１段、時間ダイヤル２２を回すと、遷移表示画面ＳＴ１４に示すように、撮影画像Ｒが表示枠ＳＣの外に向かって徐々に右方向に移動し、表示画面ＳＴ１５では、再生画像Ｐ１，Ｐ２，Ｐ３のみが表示される再生モードとなる。再生モードにおいては、太線で示す枠状のカーソルが現在フォーカスがあたっている再生画像Ｐ１に対して付加される。もう１段時間ダイヤル２２を回すと、図示しないが、再生画像Ｐ１が画面外に消えて、再生画像Ｐ２にフォーカスがあたる状態となる。
【００４０】
上述したように、時間ダイヤル２２を回すと、撮影画像Ｒを先頭とし、その後に再生画像が続くように、時間軸上に１次元的に配列された複数の画像列が表示画面に対して横方向にスライドする。
【００４１】
図８を参照して十字キー２７を使用する場合について説明する。十字キー２７は、先端部（左ボタン、右ボタン、上ボタン、下ボタンと称する）を押すことによってカーソルの移動方向を上下左右の何れかの方向に指定する。
【００４２】
図８における表示画面ＳＴ２１では、ＬＣＤ１３の表示枠ＳＣに記録画像Ｒと再生画像Ｐ１，Ｐ２が混在して表示されている。すなわち、撮影モードと再生モードとが混在した状態である。この状態で、メニューボタン２５を押すと、撮影に関するメニューが表示枠１３内に表示される。
【００４３】
十字キー２７の左ボタンを押すと、枠状のカーソルＣが再生画像Ｐ１を指示する表示画面ＳＴ２２が表示される状態となる。再生画像Ｐ１を選択した状態は、再生モードである。カーソルＣの横に左側の方向に選択が可能なことを示す矢印カーソルも表示される。再生モードでメニューボタン２５を押すと、再生に関するメニューが表示枠ＳＣ内に表示される。
【００４４】
さらに、十字キー２７の左ボタンを押すと、遷移表示画面ＳＴ２３を経て表示画面ＳＴ２４にアニメーションで遷移する。遷移表示画面ＳＴ２３が表示される時間は、一瞬である。表示画面ＳＴ２４では、撮影画像Ｒが消され、カーソルＣが再生画像Ｐ２を指定する。再生画像の切り替えが両方向に可能であるために、矢印カーソルが両側に表示される。
【００４５】
よりさらに十字キー２７の左ボタンを押すと、遷移表示画面ＳＴ２５を経て表示画面ＳＴ２６にアニメーションで遷移する。遷移表示画面ＳＴ２５が表示される時間は、一瞬である。表示画面ＳＴ２６では、カーソルＣが再生画像Ｐ３を指定する。再生画像の切り替えが両方向に可能であるために、矢印カーソルが両側に表示される。
【００４６】
このように、十字キー２７によっても、シームレスでモード切り替えがなされ、また、ユーザの概念モデルと整合して画像切り替えを行うことができる。再生モードにおいて、カーソルＣによって指示されている再生画像を拡大または縮小して表示することが可能とされている。
【００４７】
図９および図１０を参照して再生モードについてより詳細に説明する。時間ダイヤル２２または十字キー２７を操作して所望の再生画像を選択した状態において、選択した画像を拡大表示または縮小表示することが可能である。
【００４８】
図９は、拡大表示の場合の画面遷移を示している。表示画面ＳＴ２６は、図８における最後の表示画面と同一である。ここで、テレ(Tele)キーまたは「決定」キーを押し下げる。テレキーは、カメラ本体に設けられた機械的なキー、ＧＵＩのキー等である。「決定」キーは、カメラ本体に設けられた機械的なキー、ＧＵＩのキー、十字キー２７の中央部を押すことでオンするキー等である。
【００４９】
操作に応答して、遷移表示画面ＳＴ２７を経て表示画面ＳＴ２８が表示される状態までアニメーションで表示画面が遷移する。遷移表示画面ＳＴ２７で表示されている拡大再生画像Ｐ２１、Ｐ３１、Ｐ４１は、元の再生画像Ｐ２，Ｐ３，Ｐ４よりややサイズが大きい画像であり、表示画面ＳＴ２８で中央位置に表示されている拡大再生画像Ｐ３２は、再生画像Ｐ３１よりさらに大きなサイズをそれぞれ有している。選択した再生画像Ｐ３を拡大画像Ｐ３２として表示することによって、再生画像Ｐ３の内容を確認することが容易となる。
【００５０】
表示画面ＳＴ２８において、十字キー２７の右ボタンを押し下げたり、表示されている矢印カーソル→を押す等の操作を行い、カーソルＣを右側に送るように、拡大再生画像をファイル送りすると、遷移表示画面ＳＴ２９を経て表示画面ＳＴ３０にアニメーションでもって表示画面が遷移する。表示画面ＳＴ３０では、中央位置に拡大再生画像Ｐ３２が位置する。このように、拡大状態においても、画像をファイル送りすることができる。
【００５１】
図１０は、縮小表示の場合の画面遷移を示している。表示画面ＳＴ２６は、図８における最後の表示画面と同一である。ここで、ワイド(Wide)キーまたは「決定」キーを押し下げる。ワイドキーは、カメラ本体に設けられた機械的なキー、ＧＵＩのキー等である。「決定」キーは、カメラ本体に設けられた機械的なキー、ＧＵＩのキー、十字キー２７の中央部を押すことでオンするキー等である。
【００５２】
操作に応答して、遷移表示画面ＳＴ３７を経て表示画面ＳＴ３８が表示される状態までアニメーションで表示画面が遷移する。遷移表示画面ＳＴ３７で表示されている縮小再生画像Ｐ１３，Ｐ２３、Ｐ３３、Ｐ４３、Ｐ５３は、元の再生画像Ｐ１，Ｐ２，Ｐ３，Ｐ４よりややサイズが小さい画像であり、表示画面ＳＴ３８で中央位置に表示されている縮小再生画像Ｐ３４は、再生画像Ｐ３３よりさらに小さなサイズを有している。選択した再生画像Ｐ３を縮小画像Ｐ３４として表示することによって、再生画像Ｐ３の前後の複数の再生画像の内容を確認することが容易となる。
【００５３】
表示画面ＳＴ３８において、十字キー２７の左ボタンを押し下げたり、表示されている矢印カーソル←を押す等の操作を行い、カーソルＣを左に送ることによって縮小再生画像をファイル送りすると、遷移表示画面ＳＴ３９を経て表示画面ＳＴ４０にアニメーションでもって表示画面が遷移する。表示画面ＳＴ４０では、中央位置に縮小再生画像Ｐ４４が位置する。このように、縮小状態においても、画像をファイル送りすることができる。
【００５４】
以上の説明では、ＬＣＤ１３の表示枠ＳＣが横長のワイド画面とされている。この発明は、ワイド画面に限らず、（４：３）のアスペクト比の表示枠ＳＣを有するＬＣＤを使用しても良い。図１１において、ＳＣ’が（４：３）のアスペクト比の表示枠を示す。ＳＴ４１は、撮影モードの表示画面を示す。表示枠ＳＣのほぼ中央部に、現在のレンズを通して捉えられた被写体の画像である、撮影画像Ｒが表示される。撮影モードにおいては、シャッターボタン２４を押して撮影が可能である。
【００５５】
時間ダイヤル２２をカメラ本体２１の上面から見て反時計方向に１段回転させると、撮影画像Ｒが縮小されると共に、右方向に移動し、撮影画像Ｒの左隣に直前に撮影して取得された再生画像Ｐ１が表示される。この撮影画像Ｒと再生画像Ｐ１が同時に表示されている表示画面ＳＴ４２は、撮影モードと再生モードの混在状態である。ユーザは、直前に撮影された画像を見ながら、新たに撮影する画像を選択することができる。
【００５６】
さらに、時間ダイヤル２２をカメラ本体２１の上面から見て反時計方向に１段回転させると、再生画像Ｐ１，Ｐ２，Ｐ３のみが表示された表示画面ＳＴ４３となる。この状態は、再生モードであり、複数の再生画像Ｐ１，Ｐ２，Ｐ３が時間軸上に並べられて表示される。
【００５７】
図１１は、時間ダイヤル２２をカメラ本体２１の上面から見て反時計方向に回転させることで生じる、現在から過去に戻る場合の画面遷移を示し、時間ダイヤル２２をカメラ本体２１の上面から見て時計方向に回転させた場合では、過去から現在に向かう画面遷移が生じる。時間ダイヤル２２を回転させることによって撮影モードと再生モードとをシームレスな操作で切り替えることができる。
【００５８】
上述した撮影モードと、撮影モードおよび再生モードの混在モードと、再生モードとの遷移は、時間ダイヤル２２の操作にしたがってアニメーションで表現される。図１２は、画面遷移アニメーションの一例を示す。
【００５９】
撮影画像Ｒのみが表示されている表示画面ＳＴ５１において、時間ダイヤル２２をカメラ本体２１の上面から見て反時計方向に１段回すと、遷移表示画面ＳＴ５２を経て撮影画像Ｒと再生画像Ｐ１，Ｐ２が同時に表示される表示画面ＳＴ５３に遷移する。表示画面ＳＴ５１とＳＴ５３の間で、時間ダイヤル２２を回転させている間に、撮影画像Ｒが徐々に右方向に移動すると共に、画面の左側から再生画像が徐々に入り込み、表示画面ＳＴ５３では、撮影画像Ｒの隣に再生画像Ｐ１が位置する。
【００６０】
さらに、時間ダイヤル２２を１段回すと、遷移表示画面ＳＴ５４に示すように、撮影画像Ｒが表示枠ＳＣ’の外に向かって徐々に右方向に移動し、表示画面ＳＴ５５では、再生画像Ｐ１，Ｐ２，Ｐ３のみが表示される再生モードとなる。再生モードにおいては、太線で示す枠状のカーソルが現在フォーカスがあたっている再生画像Ｐ１に対して付加される。もう１段時間ダイヤル２２を回すと、図示しないが、再生画像Ｐ１が画面外に消えて、再生画像Ｐ２にフォーカスがあたる状態となる。
【００６１】
この発明は、上述したこの発明の一実施形態等に限定されるものでは無く、この発明の要旨を逸脱しない範囲内で様々な変形や応用が可能である。例えばこの発明は、静止画像を記録するディジタルカメラに限定されるものではなく、動画を記録する撮影装置、並びに静止画および動画の両方を記録可能な撮影装置に対しても適用できる。動画の場合では、例えば１回の撮影の先頭の画像をＬＣＤ等に表示するようになされる。
【図面の簡単な説明】
【００６２】
【図１】この発明による撮像装置の一実施形態の構成を示すブロック図である。
【図２】この発明の一実施形態における時間ダイヤルの一例および他の例を説明するための略線図である。
【図３】この発明の一実施形態における画像の時間軸上の配列を説明するための略線図である。
【図４】この発明の一実施形態における内部記録媒体上に保持される表示用データの説明に用いる略線図である。
【図５】ワイドＬＣＤを使用した場合のモード切り替え時の表示画面の遷移を順に示す略線図である。
【図６】モード切り替え時の動作の遷移を順に示すフローチャートである。
【図７】ワイドＬＣＤを使用した場合のモード切り替え時の表示画面のアニメーション遷移を順に示す略線図である。
【図８】操作キーとして十字キーを使用した一実施形態におけるモード切り替えおよび表示画面の遷移を説明するための略線図である。
【図９】再生モードにおいて、選択した再生画像を拡大表示する処理を説明するための略線図である。
【図１０】再生モードにおいて、選択した再生画像を縮小表示する処理を説明するための略線図である。
【図１１】アスペクト比が（４：３）のＬＣＤを使用した場合のモード切り替え時の表示画面の遷移を順に示す略線図である。
【図１２】アスペクト比が（４：３）のＬＣＤを使用した場合のモード切り替え時の表示画面のアニメーション遷移を順に示す略線図である。
【符号の説明】
【００６３】
１・・・処理部
２・・・ＣＰＵ
３・・・内部記録媒体
９・・・操作部
１１・・・外部記録媒体
１２・・・ＣＣＤ
１３・・・ＬＣＤ
２２，２２ａ，２２ｂ・・・時間ダイヤル
【図１】
2005328242.tif 000003
【図２】
2005328242.tif 000004
【図３】
2005328242.tif 000005
【図４】
2005328242.tif 000006
【図５】
2005328242.tif 000007
【図６】
2005328242.tif 000008
【図７】
2005328242.tif 000009
【図８】
2005328242.tif 000010
【図９】
2005328242.tif 000011
【図１０】
2005328242.tif 000012
【図１１】
2005328242.tif 000013
【図１２】
2005328242.tif 000014